(57)【要約】【課題】別の認識装置なしで、大容量の記憶空間と高処理速度を有する商用のＵＳＢドライブに記憶された調理情報を読み出して、使用者が所望の多様な調理情報を便利で迅速に記憶及び実行させるようにした電子レンジを提供することを目的とする。【解決手段】調理情報を記憶するＵＳＢドライブとインターフェースするインターフェース部と、調理情報を表示する表示部と、電子レンジ内に配置された調理物を調理するために使うマイクロ波を供給する調理部と、表示部に表示された調理情報から一つ以上の調理情報を選択するキー入力部と、インターフェース部を通して、ＵＳＢドライブ記憶された調理情報を読み出して表示部に表示させるように制御し、キー入力部により選択された調理情報に基づいて調理部を制御する制御部とを含む。【選択図】　　　図２
2004116984.tif 000002
【特許請求の範囲】
【請求項１】
多数の調理情報アイテムを記憶するＵＳＢドライブとインターフェースするインターフェース部と、
前記ＵＳＢドライブに記憶された調理情報を表示する表示部と、
電子レンジ内に配置された調理物を調理するために使うマイクロ波を供給する調理部と、
前記表示部に表示された調理情報から一つ以上の調理情報を選択するキー入力部と、
前記インターフェース部を通して、前記ＵＳＢドライブに記憶された調理情報を読み出して前記表示部に表示させるように制御し、前記キー入力部により選択された調理情報に基づいて前記調理部を制御する制御部とを含んでなることを特徴とする電子レンジ。
【請求項２】
前記電子レンジは基本調理情報が予め記憶された記憶部をさらに含み、前記制御部は前記キー入力部により選択された調理情報アイテムを前記記憶部に記憶させるように制御することを特徴とする請求項１に記載の電子レンジ。
【請求項３】
前記キー入力部は、前記ＵＳＢドライブに記憶された調理情報の読出、記憶及び実行に対応する別の命令キーを含むことを特徴とする請求項２に記載の電子レンジ。
【請求項４】
前記調理情報は調理イメージ、調理方法及び調理順序に関するイメージファイルの形態として生成されることを特徴とする請求項１に記載の電子レンジ。
【請求項５】
多数の調理情報アイテムを記憶するＵＳＢドライブが電子レンジに電気的に接続されたかを判断する段階と、
前記ＵＳＢドライブが電子レンジに接続されると、前記記憶された調理情報を読み出して表示させる段階と、
前記表示された調理情報アイテムのなかで一つ以上が使用者により選択されたかを判断する段階と、
前記表示された調理情報アイテムが選択されると、前記選択された調理情報の調理イメージと調理方法を表示させる段階と、
実行命令キー又は記憶命令キーが操作されたかを判断する段階と、
前記実行命令キーが操作されると前記選択された調理情報に基づいて調理を行い、前記記憶命令キーが操作されると前記選択された調理情報を補助メモリに記憶させる段階とを含んでなることを特徴とする電子レンジの制御方法。
【請求項６】
前記制御方法は、前記ＵＳＢドライブを抜き取り、前記ＵＳＢドライブをコンピュータに接続して付加の調理情報アイテムを得、前記付加の調理情報アイテムをアップロードすることを含むことを特徴とする請求項５に記載の電子レンジの制御方法。
【請求項７】
多数の調理情報アイテムを記憶するプラグアンドプレイドライブとインターフェースするインターフェース部と、
電子レンジ内に配置される調理物を調理するために使うマイクロ波を供給する調理部と、
前記プラグアンドプレイドライブに記憶された調理情報を制御し、前記調理情報に基づいて調理を制御する制御部とを含んでなることを特徴とする電子レンジ。
【請求項８】
前記制御部は、前記プラグアンドプレイドライブに記憶された調理情報を表示するための表示部を含むことを特徴とする請求項７に記載の電子レンジ。
【請求項９】
前記制御部は、前記表示部に表示された調理情報から一つ以上の調理情報アイテムを選択するためのキー入力部を含むことを特徴とする請求項８に記載の電子レンジ。
【請求項１０】
前記電子レンジは基本調理情報が予め記憶された記憶部をさらに含み、前記制御部は前記キー入力部により選択された調理情報アイテムを前記記憶部に記憶させるように制御することを特徴とする請求項９に記載の電子レンジ。
【請求項１１】
前記キー入力部は、前記ＵＳＢドライブに記憶された調理情報の読出、記憶及び実行に対応する別の命令キーを含むことを特徴とする請求項９に記載の電子レンジ。
【請求項１２】
前記調理情報は調理イメージ、調理方法及び調理順序に対するイメージファイルの形態として生成されることを特徴とする請求項７に記載の電子レンジ。
【請求項１３】
多数の調理情報アイテムを記憶するメモリを有する着脱型プラグアンドプレイドライブと、
電子レンジ内に配置された調理物を調理するために使うマイクロ波を供給する調理部と、
前記プラグアンドプレイドライブに着脱可能に連結され、前記プラグアンドプレイドライブに記憶された調理情報を制御し、前記調理情報に基づいて調理を制御する制御システムとを含んでなることを特徴とする電子レンジ。
【請求項１４】
前記制御システムは、前記プラグアンドプレイドライブとインターフェースするインターフェース部を含むことを特徴とする請求項１３に記載の電子レンジ。
【請求項１５】
前記制御システムは、前記調理情報を表示する表示部を含むことを特徴とする請求項１３に記載の電子レンジ。
【請求項１６】
前記制御システムは、前記表示部に表示された調理情報から一つ以上の調理情報アイテムを選択するために用いられるキー入力部を含むことを特徴とする請求項１５に記載の電子レンジ。
【請求項１７】
前記電子レンジは基本調理情報が予め記憶されている記憶部をさらに含み、前記制御システムは前記キー入力部により選択された調理情報アイテムを制御して前記記憶部に記憶させることを特徴とする請求項１６に記載の電子レンジ。
【請求項１８】
前記キー入力部は、前記プラグアンドプレイドライブに記憶された調理情報の読出、記憶及び実行に対応する別の命令キーを含むことを特徴とする請求項１６に記載の電子レンジ。
【請求項１９】
前記調理情報は調理イメージ、調理方法及び調理順序に関するイメージファイルの形態として生成されることを特徴とする請求項１３に記載の電子レンジ。
【請求項２０】
コンピュータが電子レンジの制御方法を実行し得るようにするコンピュータ実行可能命令が記憶されたコンピュータ読取可能媒体において、前記コンピュータ実行可能命令は、
多数の調理情報アイテムを記憶するプラグアンドプレイドライブが電子レンジに電気的に接続されたかを判断する段階と、
前記プラグアンドプレイドライブが電子レンジに接続されると、前記記憶された調理情報を読み出して表示させる段階と、
前記表示された調理情報アイテムのなかで一つ以上が使用者により選択されたかを判断する段階と、
前記表示された調理情報アイテムが選択されると、前記選択された調理情報の調理イメージと調理方法を表示させる段階と、
実行命令キー又は記憶命令キーが操作されたかを判断する段階と、
前記実行命令キーが操作されると前記選択された調理情報に基づいて調理を行い、前記記憶命令キーが操作されると前記選択された調理情報を補助メモリに記憶させる段階とを含むことを特徴とするコンピュータ読取可能媒体。
【請求項２１】
前記プラグアンドプレイドライブは、ＵＳＢドライブ、ＩＥＥＥ１３９４規格によるドライブ、及びユニバーサルプラグアンドプレイ（ＵＰｎＰ）のいずれか一つであることを特徴とする請求項２０に記載のコンピュータ読取可能媒体。
【発明の詳細な説明】
【０００１】
【発明の属する技術分野】
本発明は電子レンジに係り、より詳しくは多様で大容量の調理情報を便利で迅速に提供して、調理の拡張性を向上させるための電子レンジに関するものである。
【０００２】
【従来の技術】
一般に、電子レンジは、熱伝導、熱輻射などを用いる外部加熱方式の調理機構とは異なり、超高周波により調理を行う装置である。
【０００３】
このような動作で飲食物を調理する電子レンジは、通常、調理情報が予め記憶されたメモリを本体内に備え、前記調理情報のなかで、使用者が選択した調理情報によって自動に調理を行うか、使用者が手動で設定した情報によって調理を行った。
【０００４】
このようなメモリはたいてい記憶容量が少ないので多くの調理情報を記憶することができないだけでなく、周期的に調理情報をアップデートすることができない欠点がある。
【０００５】
これを解決するため、従来内部に不揮発性メモリであるＥＥＰＲＯＭ又はフラッシュメモリなどが設けられた移動記憶装置としてのメモリパックが用いられている。すなわち、まずインターネットに連結されたコンピュータのメモリパックにインターネットからダウンロードした調理情報を記憶させた後、前記メモリパックを電子レンジの専用挿入口に挿入させる。したがって、電子レンジのメモリパックに記憶された調理情報が認識され、前記調理情報によって当該調理を行うか、又は電子レンジの内部に記憶された調理情報をアップデートさせる。
【０００６】
しかし、近年、電子レンジで行える多様な料理が開発され、それによる調理方法も持続的に増えているだけでなく、このような多様な調理アイテムと調理方法を使用者に効果的に伝達するため、調理アイテムと調理方法のような調理情報は視聴覚的ファイル形態に作られる。このため、調理情報が占める記憶容量が格段に増えるが、既存のメモリパックは記憶容量に比べて高い費用がかかるため、このような製品に適用する場合、電子レンジの総製造費用が上昇する問題点がある。
【０００７】
また、従来のメモリパックは並列データ伝送方式を用いるため、ほかの移動式記憶媒体に比べて処理速度が遅くて、電子レンジとの通信時間が相対的に長くかかる不便さがある。
【０００８】
一方、従来のメモリパックは、電子レンジに調理情報を提供するためには、メモリパックを認識するための認識プログラム及び電源ケーブルを別に設けなければならない不便さがある。
【０００９】
【発明が解決しようとする課題】
したがって、本発明は前記のような問題点を解決するためになされたもので、本発明の目的は、別の認識装置が不要であり、大容量の記憶空間と速い処理速度を有する商用のＵＳＢ（Ｕｎｉｖｅｒｓａｌ　Ｓｅｒｉａｌ　Ｂｕｓ）ドライブに記憶された調理情報を読み出して、使用者が所望の多様な調理情報を便利で迅速に記憶及び実行させることにある。
【００１０】
また、本発明のほかの目的は、使用者に調理情報をイメージ形態として提供して、使用者が調理情報にしたがって調理及び記憶を容易に行えるようにすることにある。
【００１１】
【課題を解決するための手段】
前記目的を達成するため、本発明は、多数の調理情報アイテムを記憶するＵＳＢドライブとインターフェースするインターフェース部と、前記ＵＳＢドライブに記憶された調理情報を表示する表示部と、電子レンジ内に配置された調理物を調理するために使うマイクロ波を供給する調理部と、前記表示部に表示された調理情報から一つ以上の調理情報を選択するキー入力部と、前記インターフェース部を通して、前記ＵＳＢドライブに記憶された調理情報を読み出して前記表示部に表示させるように制御し、前記キー入力部により選択された調理情報に基づいて前記調理部を制御する制御部とを含んでなる電子レンジを提供する。
【００１２】
また、本発明は、多数の調理情報アイテムを記憶するＵＳＢドライブが電子レンジに電気的に接続されたかを判断する段階と、前記ＵＳＢドライブが電子レンジに接続されると、前記記憶された調理情報を読み出して表示させる段階と、前記表示された調理情報アイテムのなかで一つ以上が使用者により選択されたかを判断する段階と、前記表示された調理情報アイテムが選択されると、前記選択された調理情報の調理イメージと調理方法を表示させる段階と、実行命令キー又は記憶命令キーが操作されたかを判断する段階と、前記実行命令キーが操作されると前記選択された調理情報に基づいて調理を行い、前記記憶命令キーが操作されると前記選択された調理情報を補助メモリに記憶させる段階とを含んでなる電子レンジの制御方法を提供する。
【００１３】
【発明の実施の形態】
以下、本発明の実施形態を添付図面に基づいて詳細に説明する。
図１は本発明による電子レンジを示す概略図である。同図に示すように、本発明による電子レンジ１０は、調理情報を記憶しているＵＳＢドライブ２０を着脱することができ、前記ＵＳＢドライブ２０と情報を交換し、それに記憶された調理情報に基づいて調理を行うか、内部に前もって記憶されている調理情報をアップデート又は追加することができるように構成される。かかる本発明による電子レンジ本体１１の前面部には、ＵＳＢドライブ２０を接続するためのＵＳＢポート１２が設けられている。
【００１４】
ＵＳＢドライブ２０はインターネット４０上のウェブサーバー５０からの調理情報を電子レンジ１０に提供するための装置であって、インターネット４０上のウェブサーバー５０に連結できるように、インターネット４０に連結されたコンピュータ３０のＵＳＢポート１２に接続され、前記ウェブサーバー５０から調理情報をダウンロードして記憶する。前記ＵＳＢドライブ２０には、電子レンジ１０とコンピュータ３０に設けられたＵＳＢポート１２に接続されるＵＳＢコネクタ２１が長手方向に突設されている。
【００１５】
図２は本発明による電子レンジを詳細に説明する制御ブロックである。
同図に示すように、本発明による電子レンジは、電子レンジ１０の諸動作を制御し、汎用のＵＳＢドライブ２０からの調理情報を制御するための主制御部１００を含む。主制御部１００の入力側には、使用者からキー命令を受けるためのキー入力部１１０が電気的に接続されている。また、主制御部１００の出力側には、所定の情報を表示するための表示部１２０が電気的に接続されている。主制御部１００に対して入力及び出力の両方が可能な入出力側には、所定の制御プログラム、調理情報、及び電子レンジの制御に必要な各種情報が予め記憶される記憶部１３０が電気的に接続される。主制御部１００は電子レンジ１０の動作を制御するプログラムを実行するコンピュータであり得る。
【００１６】
一方、主制御部１００のほかの入出力側には、主制御部１００と通信して、前記主制御部１００からの制御信号に応じてＵＳＢドライブ２０からの調理情報を読み込んで主制御部１０に伝送するＵＳＢ制御部１４０が電気的に接続されている。前記ＵＳＢ制御部１４０には、ＵＳＢドライブ２０から調理情報を読み込むためのインターフェース部１４１が電気的に接続されている。
【００１７】
このキー入力部１１０は、ＵＳＢドライブ２０内の情報を記憶、削除、選択、実行及び読出し得るように、別の命令ボタンを有する。そして、インターフェース部１４１はＵＳＢドライブ２０のＵＳＢコネクタ２１と接続されるＵＳＢポート１２を含む。
【００１８】
以上ではＵＳＢ規格を例として説明したが、主制御部１００がプラグアンドプレイ方法を用いて接続ドライブを自動に認識し得るＵＳＢ２．０又はＩＥＥＥ１３９４などのほかの規格も実行し得ることが理解できる。例えば、ユニバーサルプラグアンドプレイ（ＵＰｎＰ）規格を用いるドライブなどのプラグアンドプレイドライブを用いることができる。このようなプラグアンドプレイドライブが電子レンジに接続されると、通常このドライブはそれ自体を確認し、電子レンジはドライブを制御する。電子レンジはコンピュータ実行命令が記憶されたコンピュータ読取可能な媒体により前記電子レンジの制御方法を実行するコンピュータにより制御できる。
【００１９】
以下、ＵＳＢドライブと通信してＵＳＢドライブから調理情報を処理する過程を説明する。
【００２０】
図３は本発明による電子レンジの作動を説明するフローチャートである。同図に示すように、まず、使用者はインターネット４０に連結されたコンピュータ３０を介して当該ウェブサーバー４０から調理情報をダウンロードした後、前記調理情報をコンピュータ３０のＵＳＢポート１２に接続されたＵＳＢドライブ２０に記憶させる。ついで、使用者はＵＳＢドライブ２０に記憶された調理情報を用いるため、ＵＳＢドライブ２０のＵＳＢコネクタ２１を電子レンジ本体１１に設けられたＵＳＢポート１２に差し込む。電子レンジ本体１１のＵＳＢポート１２にＵＳＢコネクタ２１が差し込まれると、電子レンジ１０のインターフェース部１４１に電気的に接続される。したがって、本体１１のＵＳＢ制御部１４０は電気的に接続されたＵＳＢドライブ１４０を認識することができる。
【００２１】
主制御部１００はＵＳＢドライブ２０が接続されたかを判断する（Ｓ１００）。この際、主制御部１００はＵＳＢ制御部１４０と通信してＵＳＢドライブ２０が接続されているかを判断する。
【００２２】
前記段階Ｓ１００において、ＵＳＢドライブ２０が接続されていると判断されると、主制御部１００はＵＳＢ制御部１４０がインターフェース部１４１を介してＵＳＢドライブ２０内に記憶された調理情報を読み取って主制御部１００に伝送するように制御して、ＵＳＢドライブ２０に記憶された調理情報を読み取る（Ｓ１１０）。一方、段階Ｓ１００において、ＵＳＢドライブ２０が接続されていないと判断されると、主制御部１００はＵＳＢドライブ２０が接続されたかを確認し続ける。この際、ＵＳＢドライブの接続を確認するための別のセンサーを用いるか、キー入力部１１０に、ＵＳＢドライブの接続を確認するための別のキー操作がある場合、ＵＳＢドライブ２０の接続を確認することもできる。
【００２３】
そして、主制御部１００はＵＳＢドライブ２０からの調理情報についての目録を表示部１２０に表示させる（Ｓ１２０）。すると、使用者はキー入力部１１０を操作して、表示部１２０に表示される調理情報目録のうち所望の調理情報を照会及び選択する。調理情報についての目録を表示させた後、主制御部１００はキー入力部１１０を用いて調理情報を選択するための選択キーが操作されたかを判断する（Ｓ１３０）。
【００２４】
段階Ｓ１３０において、調理情報を選択するための選択キーが操作されたと判断されると、主制御部１００は選択された調理情報に対する調理イメージと調理方法（ｒｅｃｉｐｅ）を表示部１２０に表示させる（Ｓ１４０）。
【００２５】
調理情報に対する調理イメージと調理方法を表示させた後、主制御部１００はキー入力部１１０により選択された調理情報を実行させるための実行キーの操作があるかを判断する（Ｓ１５０）。段階Ｓ１５０での判断結果、実行キーの操作があると、主制御部１００は選択された調理情報に相当する調理を行う（Ｓ１６０）。
【００２６】
段階Ｓ１５０での判断結果、実行キーの操作がないと、主制御部１００は選択された調理情報を電子レンジ内の貯蔵部１３０に記憶させるための記憶キーの操作があるかを判断する（Ｓ２００）。段階Ｓ２００での判断結果、記憶キーの操作がないと、主制御部１００は段階Ｓ１４０に復帰し、続けて選択された調理情報に対する調理イメージと調理方法を表示させる。
【００２７】
段階Ｓ２００での判断結果、記憶キーの操作があると、主制御部１００は選択された調理情報を複写して記憶部１３０に記憶させる（Ｓ２１０）。この際、主制御部１００は、記憶部１３０の記憶容量が足りない場合、使用者にこれを削除してから記憶させるようにするメッセージを表示させる。
【００２８】
【発明の効果】
以上説明したように、本発明は、別の認識装置が不要であり、大容量の記憶空間と速い処理速度を有する商用のＵＳＢドライブから調理情報を実行させるか、内部の補助メモリに記憶させることにより、使用者が所望の多様な調理情報を便利で迅速に実行、アップデート又は追加させることができる効果がある。
【００２９】
また、本発明は、使用者が調理情報をイメージで確認することができるので、調理の実行及び記憶を易しくする効果がある。
【図面の簡単な説明】
【図１】本発明の実施形態による電子レンジの使用例を示す概略図である。
【図２】本発明の実施形態による電子レンジの制御ブロック図である。
【図３】本発明の実施形態による電子レンジの制御過程を示すフローチャートである。
【符号の説明】
１０　電子レンジ
１１　電子レンジ本体
１２　ＵＳＢポート
２０　ＵＳＢドライブ
２１　ＵＳＢコネクタ
３０　コンピュータ
４０　インターネット
５０　ウェブサーバー
１００　主制御部
１１０　キー入力部
１２０　表示部
１３０　記憶部
１４０　ＵＳＢ制御部
１４１　インターフェース部
【図１】
2004116984.tif 000003
【図２】
2004116984.tif 000004
【図３】
2004116984.tif 000005